(57)【要約】  便器は、リザーバを郭成する本体部材を備えており、リザーバが、身体の排泄物を受け入れるために成形及び寸法決めされており、本体部材が、便器ライナーを受け入れるために成形された容器部と、本体部材によって郭成されたリザーバへのアクセスを提供する中央開口を備える開放型支持部とを備える。支持部は、リザーバへの中央開口の周縁から下方へ延びる周囲壁によって郭成されている。底壁が周囲壁の底に設けられる場合もあれば、設けられない場合もある。底壁が設けられる場合は、リザーバの底を閉じるために、中央開口とは反対側の周囲壁の下縁に郭成される。少なくとも１つの把手部が、便器の患者の臀部の下への挿入と取り出しのために設けられており、把手部が、底壁（存在すれば）と周囲壁のうちの少なくとも一方を貫通する開口を備える。ライナーが容器部によって受け入れられる際に、リザーバの中央開口が、便器ライナーによって覆われる。
2011505927.tif 000002
【特許請求の範囲】
【請求項１】
身体の排泄物を受け入れるために成形され寸法決めされたリザーバを郭成する本体部材であって、便器ライナーを受け入れるために成形された容器部と、本体部材によって郭成されたリザーバへ通じる中央開口を備えた開放型支持部とを有し、前記支持部が、リザーバへの中央開口の周縁から下方へ延在する周囲壁によって郭成されている、本体部材と、
前記周囲壁を貫通する開口を備え、患者の臀部下への便器の挿入と取り出しのための少なくとも１つの周設された把手部とを含み、
前記便器ライナーが前記容器部に受け入れられる際に、前記リザーバの中央開口が前記便器ライナーによって覆われる、便器。
【請求項２】
前記周囲壁の底に設けられ、前記リザーバの底を閉じるように前記中央開口と反対側の前記周囲壁の下縁に郭成された底壁をさらに含む、請求項１に記載の便器。
【請求項３】
患者の臀部の下への便器の挿入と取り出しのための少なくとも１つの底面把手部であって、前記底壁を貫通する開口を有する少なくとも１つの底面把手部をさらに含む、請求項２に記載の便器。
【請求項４】
前記少なくとも１つの周設された把手部が１つの周設された把手部であり、前記少なくとも１つの底面把手部が３つの底面把手部である、請求項３に記載の便器。
【請求項５】
請求項１から４のいずれか一項に記載の便器であって、前記便器ライナーが使い捨てである、便器。
【請求項６】
リザーバを郭成する本体部材であり、リザーバが、身体の排泄物を受け入れるために成形及び寸法決めされており、本体部材が、便器ライナーを受け入れるために成形された容器部と、本体部材によって郭成されたリザーバへ通じる中央開口を備える開放型支持部とを有し、前記容器部が底壁を有し、前記支持部が前記底壁の周縁から上方へ延びる周囲壁によって郭成されている、本体部材と、
患者の臀部の下への便器の挿入と取り出しのための少なくとも１つの把手部であって、前記底壁と前記周囲壁のうちの少なくとも一方を貫通する開口を有する、少なくとも１つの把手部とを含み、
ライナーが前記容器部によって受け入れられる際に、前記リザーバの前記中央開口が前記便器ライナーによって覆われる、便器。
【請求項７】
前記少なくとも１つの把手部が１つの把手部であり、前記開口が、前記底壁を貫通する開口である、請求項６に記載の便器。
【請求項８】
前記少なくとも１つの把手部が３つの把手部であり、前記３つの把手部のそれぞれが、前記底壁を貫通する開口を有する、請求項６に記載の便器。
【請求項９】
前記少なくとも１つの把手部が２つの把手部であり、前記２つの把手部のそれぞれが、前記周囲壁を貫通する開口を有する、請求項６に記載の便器。
【請求項１０】
前記少なくとも１つの把手部が５つの把手部であり、前記５つの把手部のうちの３つが、前記底壁を貫通する開口を有し、前記５つの把手部のうちの他の２つが、前記周囲壁を貫通する開口を有する、請求項６に記載の便器。
【請求項１１】
前記２つの把手部が、前記周囲壁において前記便器の後部の近くで互いに部分的に向かい合っている、請求項９または請求項１０に記載の便器。
【請求項１２】
前記ライナーが使い捨てのライナーである、請求項６から１０のいずれか一項に記載の便器。
【請求項１３】
便器ライナーと組合せられるボトムレス便器であって、
周囲壁部材を備える筒状体であって、前記周囲壁部材が、人間の排泄物を保持可能な便器ライナーを受け入れるための筒状体周縁を郭成するように構成されている、筒状体と、
患者の臀部の下への便器の挿入と取り出しのための少なくとも１つの把手部であって、前記周囲壁部材を貫通する貫通孔を有する、少なくとも１つの把手部と
を備えるボトムレス便器。
【請求項１４】
前記便器ライナーが使い捨ての便器ライナーである、請求項１３に記載のボトムレス便器。
【請求項１５】
便器ライナーと組合せられる便器であって、
周囲壁部材と底壁部材とを有する器であって、前記周囲壁部材と前記底壁部材が、人間の排泄物を保持可能な便器ライナーを受け入れるために、器内にキャビティを郭成するように構成されている、器と、
患者の臀部の下への前記器の挿入と取り出しのための少なくとも１つの把手部であって、前記周囲壁部材と前記底壁部材のうちの少なくとも一方を貫通する貫通孔を備える、少なくとも１つの把手部と
を備える便器。
【請求項１６】
前記貫通孔が、前記底壁部材を貫通する貫通孔である、請求項１５に記載の便器。
【請求項１７】
前記貫通孔が、前記周囲壁部材を貫通する貫通孔である、請求項１５に記載の便器。
【請求項１８】
前記ライナーが使い捨てのライナーである、請求項１５に記載の便器。
【請求項１９】
人間の排泄物を保持可能な便器ライナーと、
周囲壁部材を備える筒状体であって、周囲壁部材が、便器ライナーを受け入れるための筒状体上縁と、便器の患者の臀部の下への挿入と取り出しのために周囲壁部材を貫通する少なくとも１つの開口把手部とを郭成するように構成されている、筒状体とを備え、
前記便器ライナーが、前記筒状体に挿入可能であり、前記周囲壁部材の内側を少なくとも部分的に覆うことによって、前記開口把手部を覆うとともに、前記受け入れた人間の排泄物を前記筒状体及び前記ライナーの内側に保持する、便器キット。
【請求項２０】
前記便器ライナーが使い捨ての便器ライナーである、請求項１９に記載の便器キット。
【請求項２１】
前記筒状体が、前記筒状体を閉じてリザーバにするために筒状体底縁に郭成された底壁を有する、請求項１９に記載の便器キット。
【請求項２２】
底壁とそれを取り囲む周囲壁を有する剛性の開放型受け皿であって、底壁とそれを取り囲む周囲壁が、開放型受け皿内にキャビティを郭成し、底壁とそれを取り囲む周囲壁のうちの少なくとも一方が、患者の臀部の下への器の挿入と取り出しのための少なくとも１つの開口把手部を有する、剛性の開放型受け皿と、
キャビティに挿入可能であり、底壁及びそれを取り囲む周囲壁の内側を少なくとも部分的に覆うとともに、受け入れた人間の排泄物を保持するために少なくとも１つの前記開口把手部を覆う便器ライナーと含む、便器キット。
【請求項２３】
前記開口把手部が、前記底壁を貫通する貫通孔である、請求項２２に記載の便器キット。
【請求項２４】
前記開口把手部が、前記周囲壁を貫通する貫通孔である、請求項２２に記載の便器キット。
【請求項２５】
前記少なくとも１つの開口把手部が４つの開口把手部であり、前記４つの開口把手部のうちの３つが、前記底壁を貫通する貫通孔を有し、前記４つの開口把手部のうちの他の１つが、前記周囲壁を貫通する貫通孔を有する、請求項２２に記載の便器キット。
【請求項２６】
前記便器ライナーが使い捨てのライナーである、請求項２２から２５のいずれか一項に記載の便器キット。
【請求項２７】
前記便器ライナーが、可撓性かつ不浸透性材料の層を有する、請求項２２から２６のいずれか一項に記載の便器キット。
【請求項２８】
前記便器ライナーが吸収材料層を有する、請求項２７に記載の便器キット。
【請求項２９】
前記吸収材料層が、粉末結晶状と繊維状とのうちの一方のゲル剤を含む、請求項２８に記載の便器キット。
【請求項３０】
前記ライナーが袋である、請求項２２から２９のいずれか一項に記載の便器キット。
【請求項３１】
前記ライナーが袋であり、前記吸収材料層が、前記袋の全体に散り広げられるか、前記袋の上に置かれるか、前記袋に取り付けられるかのうちの１つである、請求項２８に記載の便器キット。
【発明の詳細な説明】
【技術分野】
【０００１】
本発明は、便器、特に把持機能を有する便器に関する。
【背景技術】
【０００２】
便器は、トイレット（toileting）装置として、通常、尿及び便の排泄物を集めるための金属、ガラス又はプラスチック製の容れ物で構成される。この便器は、ベッド又は車椅子に拘束される人々のために一般に使用される。
【０００３】
関連出願の相互参照
本出願は、出願人によって２００７年１２月１２日に出願された米国仮特許出願第６０／９９６９５１号の優先権を主張する。
【０００４】
患者自身か又は看護スタッフは、便器(bedpan)を患者の臀部の下に挿入し、便器が尿及び／又は便の排泄物を含むと、便器を回収する。患者の位置に応じて、便器は挿入され、その内容物のこぼれを防止するよう努めながら、患者に対して前方、後方又は側方から取り出される。
【０００５】
便器の外面は一般に比較的滑らかであり、便器の把持は、特に患者がその臀部を持ち上げるのに手助けされる必要がある場合には、容易ではない。
【０００６】
看護スタッフは、患者の臀部の下に位置する便器を取り出し、その内容物を処分するのに適切な領域まで便器を運び、再利用のために消毒し、ことによると殺菌する。看護スタッフは、これらの不衛生な物質との接触を避けるために特別な用心を行うことが必要とされる。加えて、必要とされる取り扱い工程（運搬、排液、洗浄、すすぎ、消毒、殺菌）はかなり重大でうんざりする。
【発明の概要】
【発明が解決しようとする課題】
【０００７】
従って、上述の難点の少なくとも１つに対処することが本発明の目的である。
【課題を解決するための手段】
【０００８】
一般的な態様によれば、便器であって、リザーバを郭成する本体部材であり、リザーバが、身体の排泄物を受け入れるために成形及び寸法決めされており、本体部材が、便器ライナーを受け入れるために成形された容器部(receptacle portion)と、本体部材によって郭成されたリザーバへ通じる中央開口を備える開放型支持部(open support section)とを備える、本体部材を備える便器が提供される。支持部は、リザーバへの中央開口の周縁から下方へ延びる周囲壁によって郭成されている。底壁が周囲壁の底に設けられる場合もあれば、設けられない場合もある。底壁が設けられる場合は、リザーバの底を閉じるために、中央開口とは反対側の周囲壁の下縁に郭成される。少なくとも１つの把手部が、便器の患者の臀部の下への挿入と取り出しのために設けられており、把手部が、底壁（存在すれば）と周囲壁のうちの少なくとも一方を貫通する開口を備える。ライナーが容器部によって受け入れられる際に、リザーバの中央開口が、便器ライナーによって覆われる。
【０００９】
本発明の第１の態様によれば、身体の排泄物を受け入れるために成形及び寸法決めされたリザーバを郭成する本体部材であって、便器ライナーを受け入れるために成形された容器部と、本体部材によって郭成されたリザーバへ通じる中央開口を有する開放型支持部とを有し、支持部が、リザーバへの中央開口の周縁から下方へ延びる周囲壁によって郭成されている本体部材と、患者の臀部の下への便器の挿入と取り出しのための少なくとも１つの周設された把手部であって、周囲壁を貫通する開口を有する少なくとも１つの周設された把手部とを備え、便器ライナーが容器部によって受け入れられるときに、リザーバの中央開口がこの便器ライナーによって覆われる、便器が提供される。
【００１０】
底壁が、周囲壁の底にさらに設けられることがあり、リザーバの底を閉じるように中央開口と反対側の周囲壁の下縁に郭成される。少なくとも１つの底面把手部が、患者の臀部の下への便器の挿入と取り出しのためにさらに設けられることがあり、底面把手部は、底壁を貫通する開口を備える。
【００１１】
本発明の第２の態様によれば、身体の排泄物を受け入れるために成形及び寸法決めされたリザーバを郭成する本体部材であって、便器ライナーを受け入れるために成形された容器部と、本体部材によって郭成されたリザーバへ通じる中央開口を有する開放型支持部とを含み、、容器部が底壁を備え、支持部が、底壁の周縁から上方へ延びる周囲壁によって郭成される本体部材と、患者の臀部の下への便器の挿入と取り出しのための少なくとも１つの把手部であって、底壁と周囲壁のうちの少なくとも一方を貫通する開口を有する少なくとも１つの把手部と有する便器であって、ライナーが容器部によって受け入れられる際に、リザーバの中央開口が便器ライナーによって覆われる、便器が提供される。
【００１２】
本発明の第３の態様によれば、便器ライナーと組合せられるボトムレス便器であって、周囲壁部材を有する筒状体(cylinder)であって、周囲壁部材が、人間の排泄物を保持可能な便器ライナーを受け入れるための筒状体周縁を郭成するように構成されている筒状体と、患者の臀部の下への便器の挿入と取り出しのための少なくとも１つの把手部であって、周囲壁部材を貫通する貫通孔を有する、少なくとも１つの把手部とを備えるボトムレス便器が提供される。
【００１３】
本発明の第４の態様によれば、便器ライナーと組合せられる便器であって、周囲壁部材と底壁部材を備える器(vessel)であって、周囲壁部材と底壁部材が、人間の排泄物を保持可能な便器ライナーを受け入れるために、器内にキャビティを郭成するように構成されている器と、患者の臀部の下への容器の挿入と取り出しのための少なくとも１つの把手部であって、周囲壁部材と底壁部材のうちの少なくとも一方を貫通する貫通孔を有する少なくとも１つの把手部とを備える便器が提供される。
【００１４】
本発明の第５の態様によれば、人間の排泄物を保持可能な便器ライナーと、周囲壁部材を備える筒状体であり、周囲壁部材が、便器ライナーを受け入れるための筒状体上縁と、便器の患者の臀部の下への挿入と取り出しのために周囲壁部材を貫通する少なくとも１つの開口把手部(apertured handle)とを郭成するように構成されている、筒状体とを備え、便器ライナーが、筒状体に挿入可能であり、周囲壁部材の内側を少なくとも部分的に覆うことによって、開口把手部を覆うとともに、受け入れた人間の排泄物を筒状体及びライナーの内側に保持する、便器キットが提供される。
【００１５】
本発明の第６の態様によれば、底壁とそれを取り囲む周囲壁を有する剛性の開放型受け皿(open top pan)であって、底壁とそれを取り囲む周囲壁が、開放型受け皿内にキャビティを郭成し、底壁とそれを取り囲む周囲壁のうちの少なくとも一方が、患者の臀部の下への容器の挿入と取り出しのための少なくとも１つの開口把手部を有する剛性の開放型受け皿と、キャビティに挿入可能であり、底壁及びそれを取り囲む周囲壁の内側を少なくとも部分的に覆うとともに、受け入れた人間の排泄物を保持するために少なくとも１つの開口把手部を覆う便器ライナーとを備える便器キットが提供される。
【００１６】
このように本発明の本質を一般的に記述したが、ここで、その好ましい実施形態を例示として示しながら、添付の図面に対して参照がなされるであろう。
【図面の簡単な説明】
【００１７】
【図１】一実施形態に従って開口把手部を有する便器の斜視図である。
【図２】図１に示す便器の平面図である。
【図３】図１に示す便器の前立面図である。
【図４】図１に示す便器の側立面図である。
【図５】別の実施形態に従って開口把手部を有する別の便器の斜視上面図である。
【図６】図５の便器の斜視底面図である。
【図７】折り畳まれた便器ライナーが上面に広がるように設けられた、図１の便器である。
【図８】図１に示す便器の周りに包まれた、折り畳まれていない図７の便器ライナーの上面図である。
【図９】図１に示す便器の周りに包まれた、折り畳まれていない図７の便器ライナーの底面図である。
【図１０】別の実施形態に従ってボトムレス容器部を有する別の便器の斜視上面図である。
【００１８】
添付図面の全体を通して、同様の特徴が同様の参照符号によって特定されていることに気付かされるであろう。
【発明を実施するための形態】
【００１９】
ここで、図面、より詳細には図１〜図４に関して、便器２０が、後端２２と、より薄くより先細りにされた前端２４とを備え、上面視で概ね楕円形状であることが分かるであろう。
【００２０】
便器２０は、開放型平鍋形状の本体部材２６を有する。本体部材２６は、容器部２８（又は器）と、容器部２８から外方へ延びる便座部材３０（又は開放型支持部）とを有している。容器部２８は、概ね平坦な底壁３２と、底壁３２の周縁３６から上方へ延びる直立の周囲壁３４とによって郭成されている。直立壁３４は、一対の対向する側壁部３８と、後端壁部４０及び後端壁部４０より短い前端壁部４２を備える対向する端壁部とを有すると説明され得る。側壁部３８は、後端壁部４０から前端壁部４２に向かって下方へ次第に薄くなっており、底壁３２は概ね平坦である。様々な壁部３８、４０、４２は、概ね連続する直立の周囲壁３４を郭成するように一体になっている。
【００２１】
底壁３２と直立の周囲壁３４は、以下により詳細に説明されるように、身体の排泄物を受け入れるために成形及び寸法決めされたキャビティ又はリザーバ４４を一緒に郭成している。
【００２２】
直立の周囲壁３４の上部周縁４６から外方へ直角に延びているのは、便座部材３０である。便座部材３０は、水平展開部５０と下方展開部５２とを有するフランジ４８を備えている。
【００２３】
フランジ４８の水平展開部５０は、前方部５４と後方部５６とを有し、後方部５６は、前方部５４より幅広である。後方部５６はそれほど厚くはない。前方部５４は、後方部５６より厚く、プレートを形成している。側壁部５８が前方部５４と後方部５６との間で延びている。側壁部５８は、前方部５４から後方部５６に向かって次第に幅を細くし、それによって便器２０に鍵穴楕円形状をもたらしている。
【００２４】
便器２０の前部は前端２４として特定され、便器２０の後部は後端２２として特定されているが、使用時には、便器２０の前部が患者の後方に位置し、便器２０の後部が患者の前方に位置することに気付かされるであろう。
【００２５】
実際には、患者がベッドに仰向きに寝ている間に便器２０を患者の臀部の下に挿入するために、便器２０の後方部５６が、サービス提供者によって随意に把手部の１つを使って把持される。サービス提供者は、その後、前端２４が患者の臀部に最も近づき、かつ後端２２が患者の足に最も近づくようにして、便器２０を患者の両脚の間に置く。便器２０は、その後、患者の臀部に向かって押し込まれ、前方部５４のプレートが臀部に最初に達する。サービス提供者によって後方部５６に対して患者に向かって加えられる圧力と、あるとすれば、患者自身の、両肩をベッドに載せた状態で臀部を引き上げて持ち上げようとする力が、前方部５４のプレートが臀部を上げて下方に滑り込むことを可能にする。
【００２６】
患者による使用のために臀部の下に置かれると、フランジ４８の水平展開部５０のプレートが、患者の背中と臀部の頂上を受け入れ、リザーバ４４が、人間の排泄物を受け入れるように身体開口部と位置合わせされ、患者の脚が、便器２０の先細り状の側壁部５８に沿ってリザーバから後端２２に向かって伸ばされ、患者の足が、後端２２から離れた所に位置する。
【００２７】
便器２０が患者の臀部の下に置かれようとする時に患者が横向きに寝ている場合は、前方部２４が今までどおり患者の背中に据えられ、後方部２２が把手部とフランジを使って腿に据えられることになるであろう。患者は、その後、便器２０を使用するために仰向けにされるだけであろう。
【００２８】
フランジ４８の下方展開部５２は、水平展開部５０の外周縁６０から概ね下方へ延び、直立の周囲壁３４と間隔を置いている。便器２０の後端２２の下方展開部５２は、前方に延びるにつれて拡大している。下方展開部５２の底縁６２は、便器底壁３２の平面よりいくらか上方で終わっている。結果として、付き添い人が、便器２０を患者の下から側方に引き出す時に、指をフランジ４８の下に入れて、把手部として利用することが可能である。
【００２９】
貫通孔６４、６６が容器部２８の底壁３２と周囲壁３４をそれぞれ貫通している。貫通孔６４、６６は、便器２０の患者の臀部の下への挿入と臀部からの引き出しを容易にする開口把手部である。開口把手部６４、６６は、便器の把持特性を向上させるために、丸みを付けられた周縁を有している。
【００３０】
図１〜図４に示す実施形態では、底壁３２が３つの開口把手部６４ａ、６４ｂ、６４ｃを備えており、１つの把手部６４ａは、後端２２とほぼ平行に近接しており、２つの把手部６４ｂ、６４ｃは、それぞれの側壁部３８とほぼ平行で、前端２４と近接している。代わりの実施形態では、底壁３２がより多くの、又はより少ない開口把手部６４を備えることがあること、及び開口把手部６４の場所が異なることがあることは理解される。付き添い人は、後端の開口把手部６４ａを使用して、便器２０を患者の後方から挿入するか又は引き出すことができる。同様に、付き添い人は、各側方の開口把手部６４ｂ、６４ｃを使用して、便器２０を患者の側方又は前方から挿入し、引き出すことができる。
【００３１】
同様に、図１〜図４に示す実施形態では、周囲壁３４が、各側壁部３８の後端２２に近接する２つの開口把手部６６を備えている。代わりの実施形態では、周囲壁３４がより多くの、又はより少ない開口把手部６６を備えることがあること、及び開口把手部６６の場所が異なることがあることは理解される。付き添い人は、各側壁の開口把手部６６を使用して、便器２０を患者の側方から挿入し、引き出すことができる。
【００３２】
底壁及び周囲壁の開口把手部６４、６６の両方の形状が図１〜図４に関連して示すものと異なることがあることは理解される。
【００３３】
図５及び図６に関して、便器２０の別の実施形態が示されている。この実施形態では、挿入用開口６８がなく、補強リブ９４、９６が、便器の剛性を増大させるために付加され、側面把手部６６が除去され、後部把手部９２が後端壁４０に付加された。内方突出部９０も、便器２０の剛性と快適性を増す。
【００３４】
この実施形態では、６つの内方突出部９０が設けられているが、いかなる数も使用されることがあり得たし、多くの様々なサイズと形状のものが様々な場所に使用されることがあり得た。４つの側面リブ９４と３つの前部リブ９６が設けられているが、それらの数、形状、サイズ及び場所も異なることがあり得た。
【００３５】
この実施形態では、後部把手部９２が後端壁４０に設けられており、他の周囲壁貫通孔６６は全く設けられていない。容易に理解されるように、便器２０の安定性と剛性が保持される限り、いかなる数の把手部も設けられることがあり得た。便座部材３０のフランジ４８の下方展開部５２も、図１の実施形態より大きく、便器が使用中又は患者の臀部の下からの取り出し時に揺り動かされる際の内容物のこぼれを防ぐのに役立つ。下方展開部５２は、便器の全回転と、液体の容れ物から前端への移動、フランジを越えて患者が位置するベッドへの移動を防ぐストッパの役割を果たす。
【００３６】
便器２０は、様々な材料、例えば、金属、ガラス、又はポリマーから製造され得る。例えば、ポリエチレン又はポリプロピレンが、いかなる所望の色にも成型されて使用され得る。
【００３７】
少なくとも１つの開口把手部６４、６６を有する便器２０は、特に付き添い人による使用のために、便器の挿入と取り出しを容易にするために設計された、新しい、改良された便器構造を提供する。便器ライナー７０との組合せで、便器２０は、時間のかかる、難しい取り扱い工程を軽減させる。
【００３８】
側壁３４と底壁３２のうちの少なくとも一方に設けられた開口把手部６４、６６は、便器２０の患者の下への挿入と患者の下からの引き出しを容易にする。
【００３９】
便器２０は、このように比較的軽量で快適であり、容易に取り扱われることができる。
【００４０】
一実施形態では、直立壁３４が、上縁４６から下縁３６に向かってキャビティ４４に対して内側へ次第にテーパ状になり、フランジ４８の下方展開部５２が、上縁６０から底縁６２に向かってキャビティ４４に対して外側へ次第にテーパ状になることがある。結果として得られる便器２０は、これにより、別の便器内に重ね合わされることができる。従って、複数の便器２０を保管又は輸送する際に、貴重な空間が節約される。
【００４１】
一実施形態では、便器２０は、９インチから１３インチにわたる幅と、１４インチから１７インチにわたる長さと、２．５インチから５インチにわたる高さを有している。代わりの実施形態では、便器２０は、１１インチから１２インチにわたる幅と、１５インチから１６インチにわたる長さと、３．７５インチから４．４インチにわたる高さを有している。
【００４２】
一実施形態では、キャビティ４４は７インチから９．５インチにわたる幅を有し、代わりの実施形態では、キャビティ幅は８インチと９インチの間である。
【００４３】
一実施形態では、周縁３６と底縁６２との間の直立の周囲壁３４の高さは、０．８インチと１．２インチの間であり、代わりの実施形態では、それが０．９インチと１．１インチの間である。
【００４４】
一実施形態では、前端２４におけるフランジ４８の下方展開部５２の高さは、０．５インチと１インチの間である。
【００４５】
一実施形態では、開口把手部６４、６６の幅と長さは、それぞれ０．７５インチと１．２５インチの間と、２．７５インチと４．５インチの間である。
【００４６】
便器２０が上述の寸法のいかなる組合せでも製造され得ることは理解される。
【００４７】
ここで図７〜図９に関して、底壁６２及び／又は周囲壁３４に郭成された開口把手部６４、６６にもかかわらず、キャビティ４４中に人間の排泄物を保持するために、使い捨ての便器ライナー７０がキャビティ４４に受け入れられることが図示されている。一実施形態では、便器ライナー７０が容器部２８の内面７２を覆う。便器ライナー、例えば、欧州特許第０９４８３０４号に記載のものが使用され得る。
【００４８】
使用時には、図８及び図９に示すように、袋の形状を有する便器ライナー７０が、便座部材３０と容器部２８の内面７２を同時に覆う。袋７０の上縁７４が、便器ライナー７０を調整して便器２０に固定するために、フランジ４８の下にぴったりとはめ込まれる。代わりの実施形態では、上縁７４が、容器部２８の下方で結び合わされる。
【００４９】
一実施形態では、便器ライナー７０は、容器部２８全体と便座部材３０の水平展開部５０を覆うようなサイズと形状にされている。便器ライナー７０は、便器２０に対してフランジ４８又は容器部２８の下で固定され、それと同時に便座部材３０の垂直展開部５２も覆うことができる。便器ライナー７０は、便器ライナー７０の上縁７４に摺動可能に取り付けられたロープ７６を締めることによって便器に固定され得る。あるいは、便器ライナー７０は、便器２０の外面に圧力を加えることによって便器ライナー７０を固定するゴムバンド（図示せず）を備えることがある。
【００５０】
便器ライナー７０は、便器２０を患者の臀部の下に挿入する前に、キャビティ４４内に配置され得る。しかしながら、代わりの実施形態では、便器ライナー７０は、便器２０が患者の臀部の下に挿入されるとすぐに、キャビティ４４に設けられることがある。
【００５１】
便器ライナー７０は、可撓性かつ不浸透性材料、例えば、ポリエチレン、ポリプロピレン、複合不織布（complex and non-woven）ポリエチレン、弾性紙又は防水性バッティングの層７８を備えることがある。便器ライナー７０は、ビニールからなることもある。便器ライナー７０は、患者の快適さを向上させるために不織布材料で内張りされることがある。
【００５２】
一実施形態では、便器ライナーは、液体を捕捉する吸収材料層８０、例えばゲルをさらに備えている。吸収材料層８０は、ほぼ瞬時に液体を保持して、取り扱いを容易にする。例えば、中和、硬化及び／又は網状ポリアクリレートが使用され得る。この吸収材料層８０は、ライナー７０の不可分の部分を形成するか、又は別に設けられてライナー７０上に単に置かれることができる。
【００５３】
吸収材料層８０は、層７８と別個の構成部分であるか、又は一体物として設けられることができる。例えば、ゲル剤は、粉末結晶状又は繊維状であり、袋の底に散り広げられるか、又は貼付されることができる。ゲル剤は、袋の底に置かれるか又は糊付けされた小さな包みに含まれることがある。袋は、水溶性材料、又は液体との接触時に分解するように液体によって脆弱化される材料（例えば、紙やセルロースのワディング）から製造され得る。あるいは、ゲル剤は、不織布具に挿入されるか、粘着紙に糊付けされるか、又は単に袋の底に糊付け若しくは載置されることができる。
【００５４】
ゲル剤は、快適性の条件を向上させる製品を含むことがある。例えば、ゲル剤は、防臭剤、防腐剤、抗ウィルス剤、抗レトロウィルス剤、殺微生物剤、殺菌剤、殺真菌剤、試薬などを含むことがある。
【００５５】
検査が必要である場合には、図１に示され、便器２０に設けられた挿入用開口６８が、患者の臀部にアクセスして、物品、例えば、座薬形式の薬や、指を挿入するために使用されることができる。挿入用開口６８は、通常、把手部として使用されない。その便器２０における存在は全く任意である。
【００５６】
ライナー７０が、便器２０全体を覆って身体の排泄物を受け入れる際に、この挿入用開口６８が、図８及び図９に示す実施形態において無用であることは容易に理解されるであろう。挿入用開口６８は、従って、本発明から逸脱することなしに便器のデザインから省略され得る。
【００５７】
図１０は、便器２０の容器部２８’がボトムレス(bottomless)であり、容器部２８’の直立の周囲壁３４のみが把手部を含む便器２０の実施形態を示す。図１０に示す実施形態では、壁３４には２つの把手部６６が郭成されており、底壁３２がないので、容れ物の底壁３２に郭成される把手部がない。便器２０のこの実施形態は、ライナー７０、例えば、図７〜図９に関連して図示され説明されたものを使用することを必要とする。実際には、便器２０にライナー７０が設けられると、そして便器が患者の臀部の下に置かれると、図１の実施形態の容器部２８の平坦な底壁３２は無用になる。周囲壁３４の少なくとも１つの把手部は、サービス提供者が患者の臀部の下に便器を置くこと及び取り出すことに役立てるのになお有用である。
【００５８】
この実施形態は、便器の容器部に積み上がって、こぼれのない便器の正しい使用を困難にする傾向がある臀部領域周りの大量の軟部組織を有する肥り過ぎの患者での使用に特に有用である。この実施形態では、軟部組織は、容器部に入って、底壁に達することなく中へ落ちることができ、従って容器部に積み上げられない。容易に理解されるように、ライナー７０は、便器２０全体を覆いつつ、便器の容器部内に容器形状の空間を形成可能にするのに十分なサイズにされる必要がある。
【００５９】
図１０のこのボトムレス便器は、図１のタイプの便器を成型し、その後平坦な底壁３２を切り取ることによって製造され得る。便器は好ましくはリサイクル可能なプラスチック材料からなるので、このようにして除去された底壁３２は、再利用のために溶融され得る。
【００６０】
便器容器は、単に周囲壁３４によって郭成された筒状体であると考えることができる。筒状体は、好ましくはほぼ洋梨形の断面、すなわち、器(vessel)の中央開口を有しており、従って洋梨形筒状体である。容易に理解されるように、患者による使用と快適さにとって適切であれば、他の断面形状が使用されることもあり得た。筒状体は、器が図１０の実施形態のようにボトムレスである場合に二端が開口であるか、洋梨形断面の底壁３２によって一端が閉じられているかのどちらかである。
【００６１】
上述の本発明の実施形態は、単に例示であるように意図されている。本発明の範囲は、従って、添付の特許請求の範囲によってのみ限定されるように意図されている。
【図１】
2011505927.tif 000003
【図２】
2011505927.tif 000004
【図３】
2011505927.tif 000005
【図４】
2011505927.tif 000006
【図５】
2011505927.tif 000007
【図６】
2011505927.tif 000008
【図７】
2011505927.tif 000009
【図８】
2011505927.tif 000010
【図９】
2011505927.tif 000011
【図１０】
2011505927.tif 000012
【国際調査報告】
2011505927.tif 000013
2011505927.tif 000014